【手続補正書】
【提出日】平成28年4月20日(2016.4.20)
【手続補正１】
【補正対象書類名】特許請求の範囲
【補正対象項目名】全文
【補正方法】変更
【補正の内容】
【特許請求の範囲】
【請求項１】
所定の遊技結果が得られた場合に遊技者に遊技価値を付与する入賞役を含む複数の当選役のうちから当選役の抽選を行い、該抽選が行われると複数の可動体を回転させ、該複数の可動体が停止することによって当該抽選の結果が示されるゲームの進行を制御する遊技制御手段と、を備えた遊技機であって、
前記遊技制御手段は、
通常遊技状態と、前記抽選によって前記入賞役が選び出される割合は当該通常遊技状態と同じではあるものの該通常遊技状態よりも有利であり、複数のゲームに亘って制御される特別遊技状態を含む複数の遊技状態がある中でいずれかの遊技状態に制御する遊技状態制御手段と、
前記特別遊技状態に移行させるか否かを抽選する特別遊技状態移行抽選手段と、
前記特別遊技状態移行抽選手段によって前記特別遊技状態に移行させる抽選の結果が得られた場合には、前記遊技状態を前記特別遊技状態に移行させる特別遊技状態移行手段と、
前記遊技状態が前記特別遊技状態に制御されているときに所定の終了条件を満たした場合には当該特別遊技状態を終了させる特別遊技状態終了手段と、
前記遊技状態が前記特別遊技状態に制御されているときに所定の達成条件が満たされると有利な特典を付与する条件達成特典付与手段と、
を備え、
前記所定の達成条件が満たされた場合、該満たされた後のゲームにおいては前記特別遊技状態を終了させるか、または継続させるかのいずれかであるように構成されており、
前記条件達成特典付与手段は、前記所定の達成条件が満たされ且つ前記特別遊技状態が継続されたときの継続後の特別遊技状態において、前記所定の終了条件を満たすよりも前に前記所定の達成条件が改めて満たされたときにも前記有利な特典を付与し、
前記特別遊技状態移行手段によって前記特別遊技状態に移行した場合には該移行したことを演出によって報知するとともに、複数のゲームに亘って制御されるなかでゲーム進行によって変化する当該特別遊技状態の遊技状況を報知し得る報知手段と、
前記特別遊技状態移行手段によって前記遊技状態が前記特別遊技状態に移行された場合に、前記所定の終了条件または前記所定の達成条件の成立に伴って終了すること以外において当該特別遊技状態の継続が確約されるゲーム数が表示される一方で、当該表示されたゲーム数を超えて当該特別遊技状態を継続して制御させる特別遊技延長手段と、
を備えることを特徴とする遊技機。
【手続補正２】
【補正対象書類名】明細書
【補正対象項目名】０００６
【補正方法】変更
【補正の内容】
【０００６】
しかしながら、従来の遊技機では、ボーナスとは異なる有利遊技状態を搭載することで興趣の低下を抑制する工夫はみられるものの、改善を求める遊技者も少なからず存在する。
【手続補正３】
【補正対象書類名】明細書
【補正対象項目名】０００７
【補正方法】変更
【補正の内容】
【０００７】
そこで、本発明はこのような遊技者をも満足させ得る遊技機を提供することを目的とするものである。
【手続補正４】
【補正対象書類名】明細書
【補正対象項目名】０００８
【補正方法】変更
【補正の内容】
【０００８】
前記目的を達成するために、本発明は、所定の遊技結果が得られた場合に遊技者に遊技価値を付与する入賞役を含む複数の当選役のうちから当選役の抽選を行い、該抽選が行われると複数の可動体を回転させ、該複数の可動体が停止することによって当該抽選の結果が示されるゲームの進行を制御する遊技制御手段と、を備えた遊技機であって、前記遊技制御手段は、通常遊技状態と、前記抽選によって前記入賞役が選び出される割合は当該通常遊技状態と同じではあるものの該通常遊技状態よりも有利であり、複数のゲームに亘って制御される特別遊技状態を含む複数の遊技状態がある中でいずれかの遊技状態に制御する遊技状態制御手段と、前記特別遊技状態に移行させるか否かを抽選する特別遊技状態移行抽選手段と、前記特別遊技状態移行抽選手段によって前記特別遊技状態に移行させる抽選の結果が得られた場合には、前記遊技状態を前記特別遊技状態に移行させる特別遊技状態移行手段と、前記遊技状態が前記特別遊技状態に制御されているときに所定の終了条件を満たした場合には当該特別遊技状態を終了させる特別遊技状態終了手段と、前記遊技状態が前記特別遊技状態に制御されているときに所定の達成条件が満たされると有利な特典を付与する条件達成特典付与手段と、を備え、前記所定の達成条件が満たされた場合、該満たされた後のゲームにおいては前記特別遊技状態を終了させるか、または継続させるかのいずれかであるように構成されており、前記条件達成特典付与手段は、前記所定の達成条件が満たされ且つ前記特別遊技状態が継続されたときの継続後の特別遊技状態において、前記所定の終了条件を満たすよりも前に前記所定の達成条件が改めて満たされたときにも前記有利な特典を付与し、前記特別遊技状態移行手段によって前記特別遊技状態に移行した場合には該移行したことを演出によって報知するとともに、複数のゲームに亘って制御されるなかでゲーム進行によって変化する当該特別遊技状態の遊技状況を報知し得る報知手段と、前記特別遊技状態移行手段によって前記遊技状態が前記特別遊技状態に移行された場合に、前記所定の終了条件または前記所定の達成条件の成立に伴って終了すること以外において当該特別遊技状態の継続が確約されるゲーム数が表示される一方で、当該表示されたゲーム数を超えて当該特別遊技状態を継続して制御させる特別遊技延長手段と、を備えることを特徴とする遊技機である。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】削除
【補正の内容】
【手続補正３０】
【補正対象書類名】明細書
【補正対象項目名】００３４
【補正方法】削除
【補正の内容】
【手続補正３１】
【補正対象書類名】明細書
【補正対象項目名】００３５
【補正方法】削除
【補正の内容】
【手続補正３２】
【補正対象書類名】明細書
【補正対象項目名】００３６
【補正方法】削除
【補正の内容】
【手続補正３３】
【補正対象書類名】明細書
【補正対象項目名】００３７
【補正方法】削除
【補正の内容】
【手続補正３４】
【補正対象書類名】明細書
【補正対象項目名】００３８
【補正方法】削除
【補正の内容】
【手続補正３５】
【補正対象書類名】明細書
【補正対象項目名】００３９
【補正方法】削除
【補正の内容】
【手続補正３６】
【補正対象書類名】明細書
【補正対象項目名】００４０
【補正方法】削除
【補正の内容】
【手続補正３７】
【補正対象書類名】明細書
【補正対象項目名】００４１
【補正方法】削除
【補正の内容】
【手続補正３８】
【補正対象書類名】明細書
【補正対象項目名】００４２
【補正方法】削除
【補正の内容】
【手続補正３９】
【補正対象書類名】明細書
【補正対象項目名】００４３
【補正方法】削除
【補正の内容】
【手続補正４０】
【補正対象書類名】明細書
【補正対象項目名】００４４
【補正方法】削除
【補正の内容】
【手続補正４１】
【補正対象書類名】明細書
【補正対象項目名】００４５
【補正方法】削除
【補正の内容】
【手続補正４２】
【補正対象書類名】明細書
【補正対象項目名】００４６
【補正方法】削除
【補正の内容】
【手続補正４３】
【補正対象書類名】明細書
【補正対象項目名】００４７
【補正方法】削除
【補正の内容】
【手続補正４４】
【補正対象書類名】明細書
【補正対象項目名】００４８
【補正方法】削除
【補正の内容】
【手続補正４５】
【補正対象書類名】明細書
【補正対象項目名】００４９
【補正方法】削除
【補正の内容】
【手続補正４６】
【補正対象書類名】明細書
【補正対象項目名】００５０
【補正方法】削除
【補正の内容】
【手続補正４７】
【補正対象書類名】明細書
【補正対象項目名】００５１
【補正方法】変更
【補正の内容】
【００５１】
本発明によれば、新たなゲーム性を有する遊技機を提供することができる。